(57)【特許請求の範囲】
【請求項１】
車両の速度制御および操舵制御のうち、少なくとも一方を自動的に行う自動運転を実施する自動運転制御部と、
設定された目的地に対して前記車両が走行する走行経路を決定し、決定した走行経路までの誘導を行う経路誘導部と、
前記目的地までの走行経路における、前記自動運転の実施可能な比率を示す自動運転比率、前記自動運転が実施できる距離、前記自動運転での予想走行時間、前記自動運転を実施するタイミング、および前記自動運転を実施する回数のうち、少なくとも１つを前記車両の乗員に提示する提示部と、
前記走行経路の状況を取得する取得部と、を備え、
前記経路誘導部は、前記決定した走行経路に対する前記車両の誘導を行っている状態で、前記決定した走行経路に関して前記取得部により取得された状況の変化によって前記自動運転比率が変更される場合に、前記自動運転比率、前記自動運転が実施できる距離、前記予想走行時間、前記自動運転を実施するタイミング、および前記自動運転を実施する回数のうち、少なくとも１つを再設定する、
車両制御システム。
【請求項２】
前記経路誘導部は、
前記目的地までの走行経路の距離と、前記走行経路に対して前記自動運転が実施できる距離とに基づいて、前記自動運転比率を算出する、
請求項１に記載の車両制御システム。
【請求項３】
前記経路誘導部は、
前記目的地までの予想走行時間と、前記目的地までの走行経路に対する前記自動運転での予想走行時間とに基づいて、前記自動運転比率を算出する、
請求項１に記載の車両制御システム。
【請求項４】
画像を表示する１以上の表示部を更に備え、
前記経路誘導部は、
前記目的地までの走行経路と、前記走行経路における自動運転区間とを前記表示部に表示させる、
請求項１から３のうち、いずれか１項に記載の車両制御システム。
【請求項５】
前記経路誘導部は、
前記目的地までの走行経路の候補と、前記走行経路の候補ごとの前記自動運転比率、前記自動運転が実施できる距離、前記自動運転での予想走行時間、前記自動運転を実施するタイミング、および前記自動運転を実施する回数のうち、少なくとも１つとを、前記表示部に表示させ、
前記表示部に表示させた前記走行経路の候補のうち、いずれか１つの選択操作を受け付ける操作受付部を更に備える、
請求項４に記載の車両制御システム。
【請求項６】
車載コンピュータが、
車両の速度制御および操舵制御のうち、少なくとも一方を自動的に行う自動運転を実施し、
設定された目的地に対して前記車両が走行する走行経路を決定し、決定した走行経路までの誘導を行い、
前記目的地までの走行経路における、前記自動運転の実施可能な比率を示す自動運転比率、前記自動運転が実施できる距離、前記自動運転での予想走行時間、前記自動運転を実施するタイミング、および前記自動運転を実施する回数のうち、少なくとも１つを提示部により前記車両の乗員に提示し、
前記走行経路の状況を取得し、
前記決定した走行経路に対する前記車両の誘導を行っている状態で、前記決定した走行経路に関して取得された前記走行経路の状況の変化によって前記自動運転比率が変更される場合に、前記自動運転比率、前記自動運転が実施できる距離、前記予想走行時間、前記自動運転を実施するタイミング、および前記自動運転を実施する回数のうち、少なくとも１つを再設定する、
車両制御方法。
【請求項７】
車載コンピュータに、
車両の速度制御および操舵制御のうち、少なくとも一方を自動的に行う自動運転を実施させ、
設定された目的地に対して前記車両が走行する走行経路を決定し、決定した走行経路までの誘導を行わせ、
前記目的地までの走行経路における、前記自動運転の実施可能な比率を示す自動運転比率、前記自動運転が実施できる距離、前記自動運転での予想走行時間、前記自動運転を実施するタイミング、および前記自動運転を実施する回数のうち、少なくとも１つを提示部により前記車両の乗員に提示させ、
前記走行経路の状況を取得させ、
前記決定した走行経路に対する前記車両の誘導を行っている状態で、前記決定した走行経路に関して取得された前記走行経路の状況の変化によって前記自動運転比率が変更される場合に、前記自動運転比率、前記自動運転が実施できる距離、前記予想走行時間、前記自動運転を実施するタイミング、および前記自動運転を実施する回数のうち、少なくとも１つを再設定させる、
車両制御プログラム。
【発明の詳細な説明】
【技術分野】
【０００１】
本発明は、車両制御システム、車両制御方法、および車両制御プログラムに関する。
【背景技術】
【０００２】
近年、車両の速度制御と操舵制御とのうち、少なくとも一方を自動的に行う技術（以下、自動運転）についての研究が進められている。これに関連して、車両の自動運転制御が行われる自動運転区間を含む車両の走行予定経路を取得する経路取得手段と、走行予定経路に含まれる自動運転区間において、自動運転制御を行わない中断区間をユーザの操作に応じて設定する中断区間設定手段と、走行予定経路に含まれる自動運転区間の内、中断区間を除いた区間に対して、車両に対して行われる自動運転制御の制御内容を設定する制御内容設定手段とを有する自動運転支援システムが開示されている（例えば、特許文献１参照）。
【先行技術文献】
【特許文献】
【０００３】
【特許文献１】特開２０１５−１４１４７８号公報
【発明の概要】
【発明が解決しようとする課題】
【０００４】
しかしながら、従来技術では、複数の走行経路のうち１つを乗員が選択するのではなく、乗員が自分の意向に沿うように自動運転の中断区間を設定しなければならない。本発明は、このような事情を考慮してなされたものであり、自動運転区間を含む複数の経路から、より乗員の意向に近い経路を容易に選択することができる車両制御システム、車両制御方法、および車両制御プログラムを提供することを目的の一つとする。
【課題を解決するための手段】
【０００５】
請求項１に記載の発明は、車両の速度制御および操舵制御のうち、少なくとも一方を自動的に行う自動運転を実施する自動運転制御部（１２０）と、設定された目的地に対して前記車両が走行する走行経路を決定し、決定した走行経路までの誘導を行う経路誘導部（５０）と、前記目的地までの走行経路における、前記自動運転の実施可能な比率を示す自動運転比率、前記自動運転が実施できる距離、前記自動運転での予想走行時間、前記自動運転を実施するタイミング、および前記自動運転を実施する回数のうち、少なくとも１つを前記車両の乗員に提示する提示部（７０）と、前記走行経路の状況を取得する取得部（５５）と、を備え、前記経路誘導部は、前記決定した走行経路に対する前記車両の誘導を行っている状態で、前記決定した走行経路に関して前記取得部により取得された状況の変化によって前記自動運転比率が変更される場合に、前記自動運転比率、前記自動運転が実施できる距離、前記予想走行時間、前記自動運転を実施するタイミング、および前記自動運転を実施する回数のうち、少なくとも１つを再設定する、車両制御システム（１００）である。
【０００６】
請求項２に記載の発明は、請求項１記載の車両制御システムであって、前記経路誘導部は、前記目的地までの走行経路の距離と、前記走行経路に対して前記自動運転が実施できる距離とに基づいて、前記自動運転比率を算出するものである。
【０００７】
請求項３に記載の発明は、請求項１記載の車両制御システムであって、前記経路誘導部は、前記目的地までの予想走行時間と、前記目的地までの走行経路に対する前記自動運転での予想走行時間とに基づいて、前記自動運転比率を算出するものである。
【０００８】
請求項４に記載の発明は、請求項１から３のうち、いずれか１項に記載の車両制御システムであって、画像を表示する１以上の表示部（５０，８２）を更に備え、前記経路誘導部は、前記目的地までの走行経路と、前記走行経路における自動運転区間とを前記表示部に表示させるものである。
【０００９】
請求項５に記載の発明は、請求項４に記載の車両制御システムであって、前記経路誘導部は、前記目的地までの走行経路の候補と、前記走行経路の候補ごとの前記自動運転比率、前記自動運転が実施できる距離、前記自動運転での予想走行時間、前記自動運転を実施するタイミング、および前記自動運転を実施する回数のうち、少なくとも１つとを、前記表示部に表示させ、前記表示部に表示させた前記走行経路の候補のうち、いずれか１つの選択操作を受け付ける操作受付部（５０、７０）を更に備えるものである。
【００１１】
請求項６に記載の発明は、車載コンピュータ（１００）が、車両の速度制御および操舵制御のうち、少なくとも一方を自動的に行う自動運転を実施し、設定された目的地に対して前記車両が走行する走行経路を決定し、決定した走行経路までの誘導を行い、前記目的地までの走行経路における、前記自動運転の実施可能な比率を示す自動運転比率、前記自動運転が実施できる距離、前記自動運転での予想走行時間、前記自動運転を実施するタイミング、および前記自動運転を実施する回数のうち、少なくとも１つを提示部により前記車両の乗員に提示し、前記走行経路の状況を取得し、前記決定した走行経路に対する前記車両の誘導を行っている状態で、前記決定した走行経路に関して取得された前記走行経路の状況の変化によって前記自動運転比率が変更される場合に、前記自動運転比率、前記自動運転が実施できる距離、前記予想走行時間、前記自動運転を実施するタイミング、および前記自動運転を実施する回数のうち、少なくとも１つを再設定する、車両制御方法である。
【００１２】
請求項７に記載の発明は、車載コンピュータに、車両の速度制御および操舵制御のうち、少なくとも一方を自動的に行う自動運転を実施させ、設定された目的地に対して前記車両が走行する走行経路を決定し、決定した走行経路までの誘導を行わせ、前記目的地までの走行経路における、前記自動運転の実施可能な比率を示す自動運転比率、前記自動運転が実施できる距離、前記自動運転での予想走行時間、前記自動運転を実施するタイミング、および前記自動運転を実施する回数のうち、少なくとも１つを提示部により前記車両の乗員に提示させ、前記走行経路の状況を取得させ、前記決定した走行経路に対する前記車両の誘導を行っている状態で、前記決定した走行経路に関して取得された前記走行経路の状況の変化によって前記自動運転比率が変更される場合に、前記自動運転比率、前記自動運転が実施できる距離、前記予想走行時間、前記自動運転を実施するタイミング、および前記自動運転を実施する回数のうち、少なくとも１つを再設定させる、車両制御プログラムである。
【発明の効果】
【００１３】
請求項１から３、および５から７に記載の発明によれば、自動運転区間を含む複数の経路から、より車両乗員の意向に近い経路を容易に選択することができる。また、車両乗員は、走行経路の状況の変化に応じて、適切な走行経路を選択することができる。
【００１４】
請求項４に記載の発明によれば、自車両Ｍの走行工程や自動運転モードのタイミング等を車両乗員に分かりやすく通知することができる。
【図面の簡単な説明】
【００１６】
【図１】実施形態の車両制御システム１００が搭載される車両の構成要素を示す図である。
【図２】車両制御システム１００を中心とした機能構成図である。
【図３】ＨＭＩ７０の構成図である。
【図４】自車位置認識部１４０により走行車線Ｌ１に対する自車両Ｍの相対位置が認識される様子を示す図である。
【図５】ある区間について生成された行動計画の一例を示す図である。
【図６】軌道生成部１４６の構成の一例を示す図である。
【図７】軌道候補生成部１４６Ｂにより生成される軌道の候補の一例を示す図である。
【図８】軌道候補生成部１４６Ｂにより生成される軌道の候補を軌道点Ｋで表現した図である。
【図９】車線変更ターゲット位置ＴＡを示す図である。
【図１０】３台の周辺車両の速度を一定と仮定した場合の速度生成モデルを示す図である。
【図１１】モード別操作可否情報１８８の一例を示す図である。
【図１２】目的地の設定画面の一例を示す図である。
【図１３】経路探索開始画面の一例を示す図である。
【図１４】経路探索結果表示画面の一例を示す図である。
【図１５】自動運転比率表示画面の一例を示す図である。
【図１６】自動運転比率表示画面の他の例を示す図である。
【図１７】経路設定処理の一例を示すシーケンス図である。
【図１８】経路誘導時の画面の一例を示す図である。
【発明を実施するための形態】
【００１７】
以下、図面を参照し、本発明の車両制御システム、車両制御方法、および車両制御プログラムの実施形態について説明する。
【００１８】
図１は、実施形態の車両制御システム１００が搭載される車両（以下、自車両Ｍと称する）の構成要素を示す図である。車両制御システム１００が搭載される車両は、例えば、二輪や三輪、四輪等の自動車であり、ディーゼルエンジンやガソリンエンジン等の内燃機関を動力源とした自動車や、電動機を動力源とした電気自動車、内燃機関および電動機を兼ね備えたハイブリッド自動車等を含む。電気自動車は、例えば、二次電池、水素燃料電池、金属燃料電池、アルコール燃料電池等の電池により放電される電力を使用して駆動される。
【００１９】
図１に示すように、自車両Ｍには、ファインダ２０−１から２０−７、レーダ３０−１から３０−６、およびカメラ（撮像部）４０等のセンサと、ナビゲーション装置（経路誘導部、提示部、表示部、操作受付部）５０と、車両制御システム１００とが搭載される。
【００２０】
ファインダ２０−１から２０−７は、例えば、照射光に対する散乱光を測定し、対象までの距離を測定するＬＩＤＡＲ（Light Detection and Ranging、或いはLaser Imaging Detection and Ranging）である。例えば、ファインダ２０−１は、フロントグリル等に取り付けられ、ファインダ２０−２および２０−３は、車体の側面やドアミラー、前照灯内部、側方灯付近等に取り付けられる。ファインダ２０−４は、トランクリッド等に取り付けられ、ファインダ２０−５および２０−６は、車体の側面や尾灯内部等に取り付けられる。上述したファインダ２０−１から２０−６は、例えば、水平方向に関して１５０度程度の検出領域を有している。また、ファインダ２０−７は、ルーフ等に取り付けられる。ファインダ２０−７は、例えば、水平方向に関して３６０度の検出領域を有している。
【００２１】
レーダ３０−１および３０−４は、例えば、奥行き方向の検出領域が他のレーダよりも広い長距離ミリ波レーダである。また、レーダ３０−２、３０−３、３０−５、３０−６は、レーダ３０−１および３０−４よりも奥行き方向の検出領域が狭い中距離ミリ波レーダである。
【００２２】
以下、ファインダ２０−１から２０−７を特段区別しない場合は、単に「ファインダ２０」と記載し、レーダ３０−１から３０−６を特段区別しない場合は、単に「レーダ３０」と記載する。レーダ３０は、例えば、ＦＭ−ＣＷ（Frequency Modulated Continuous Wave）方式によって物体を検出する。
【００２３】
カメラ４０は、例えば、ＣＣＤ（Charge Coupled Device）やＣＭＯＳ（Complementary Metal Oxide Semiconductor）等の固体撮像素子を利用したデジタルカメラである。カメラ４０は、フロントウインドシールド上部やルームミラー裏面等に取り付けられる。カメラ４０は、例えば、周期的に繰り返し自車両Ｍの前方を撮像する。カメラ４０は、複数のカメラを含むステレオカメラであってもよい。
【００２４】
なお、図１に示す構成はあくまで一例であり、構成の一部が省略されてもよいし、更に別の構成が追加されてもよい。
【００２５】
図２は、実施形態に係る車両制御システム１００を中心とした機能構成図である。自車両Ｍには、ファインダ２０、レーダ３０、およびカメラ４０等を含む検知デバイスＤＤと、ナビゲーション装置５０と、通信装置（取得部）５５と、車両センサ６０と、ＨＭＩ（Human Machine Interface）７０と、車両制御システム１００と、走行駆動力出力装置２００と、ステアリング装置２１０と、ブレーキ装置２２０とが搭載される。これらの装置や機器は、ＣＡＮ（Controller Area Network）通信線等の多重通信線やシリアル通信線、無線通信網等によって互いに接続される。なお、特許請求の範囲における車両制御システムは、「車両制御システム１００」のみを指しているのではなく、車両制御システム１００以外の構成（例えば、検知デバイスＤＤ、ナビゲーション装置５０、通信装置５５、車両センサ６０、およびＨＭＩ７０等のうち、少なくとも１つ）を含んでもよい。
【００２６】
ナビゲーション装置５０は、ＧＮＳＳ（Global Navigation Satellite System）受信機や地図情報（ナビ地図）、ユーザインターフェースとして機能するタッチパネル式表示装置、スピーカ、マイク等を有する。ナビゲーション装置５０は、ＧＮＳＳ受信機によって自車両Ｍの位置を特定し、その位置から自車両Ｍの車両乗員（乗員）等によって指定された目的地までの経路を取得する。なお、自車両Ｍの位置を特定するための構成は、ナビゲーション装置５０とは独立して設けられてもよい。例えば、自車両Ｍの位置は、例えば車両センサ６０の出力を利用したＩＮＳ（Inertial Navigation System）によって特定または補完されてもよい。
【００２７】
ナビゲーション装置５０は、例えば自車両Ｍの車両乗員により目的地を設定させるための画面（インターフェース画面）を表示して、車両乗員からの指示を受け付ける。また、ナビゲーション装置５０は、画面から受け付けた目的地情報と、自車両Ｍの現在位置を示す情報とを、通信装置５５によりナビゲーションサーバ（外部装置）３００に送信し、走行経路の問い合わせを行う。
【００２８】
ナビゲーションサーバ３００は、受信された車両（上述した自車両Ｍ）の位置情報と、目的地情報と、予め記憶された経路案内用の地図情報（ナビ地図）や最新の交通情報（渋滞情報）等とに基づいて、１又は複数の走行経路の候補に関する情報を取得する。また、ナビゲーションサーバ３００は、取得した情報を問い合わせがあった車両（上述した自車両Ｍ）に送信する。
【００２９】
ナビゲーション装置５０は、通信装置５５を介してナビゲーションサーバ３００から送信された目的地までの走行経路の候補に関する情報を取得する。なお、ナビゲーション装置５０は、上述したナビゲーションサーバ３００から目的地までの走行経路の候補に関する情報を取得せずに、ナビゲーション装置５０が記憶するナビ地図を用いて、上述した走行経路の候補に関する情報を取得してもよい。
【００３０】
ナビゲーション装置５０は、取得した走行経路の候補に関する情報を後述する目標車線決定部（算出部）１１０に出力する。目標車線決定部１１０は、ナビゲーション装置５０から入力された各候補の走行経路に対して高精度地図情報１８２を参照し、各候補の走行経路において、自動運転が可能な区間の候補を生成する。
【００３１】
ナビゲーション装置５０は、走行経路の候補に関する情報と、目標車線決定部１１０により算出される走行経路の各候補における自動運転が実施できる区間および自動運転の実施可能な比率（自動運転比率）の一方または双方に関する情報等を車両乗員に提示する。なお、車両乗員に提示する自動運転に関する情報としては、自動運転比率に限定されるものではなく、例えば上述した自動運転比率、自動運転が実施できる距離、自動運転での予想走行時間、自動運転を実施するタイミング（例えば、最初または最後に自動運転を実施するタイミング）、および自動運転を実施する回数のうち、少なくとも１つであればよい。以下の説明では、上述した各情報のうち、自動運転比率を用いた例を説明する。
【００３２】
この場合、ナビゲーション装置５０は、走行経路を表示するインターフェース画面に代えて、または加えて、自動運転区間や自動運転比率を表示する画面や、走行経路の候補のうち、どの走行経路で走行を行うかの選択操作を受け付ける選択画面等を表示してよく、自動運転比率に関する情報を音声出力してもよい。
【００３３】
また、ナビゲーション装置５０は、表示された画面を介して車両乗員から設定される走行経路を受け付けて、受け付けた結果を車両制御システム１００に出力する。これにより、車両制御システム１００は、ナビゲーション装置５０により受け付けられた設定情報に基づいて、車両乗員が選択した区間に対する自車両Ｍの自動運転制御等を実施する。
【００３４】
また、ナビゲーション装置５０は、目的地までの経路が決定した場合、目的地に至る走行経路について音声や画像表示等による案内を行い、目的地までの誘導を行う。また、ナビゲーション装置５０は、決定した走行経路に対する自車両Ｍの誘導を行っている場合に、ナビゲーションサーバ３００から得られる走行経路の状況（例えば、天候状況や事故の発生）に基づいて、自車両Ｍの現在位置から目的地までの走行経路の候補と、走行経路の候補に対する自動運転比率とを、目標車線決定部１１０等により再設定させる。なお、再設定させる情報は、その他にも、例えば自動運転が実施できる距離、自動運転での予想走行時間、自動運転を実施するタイミング、および自動運転を実施する回数のうち、少なくとも１つであってもよい。また、ナビゲーション装置５０は、再設定された情報（走行経路の候補および自動運転比率）を画面に表示する。
【００３５】
なお、上述したナビゲーション装置５０における各機能は、ＨＭＩ７０の提示部（例えば、表示装置８２）等でも実現することができる。例えば、ナビゲーション装置５０は、ＨＭＩ７０の提示部等と連携し、ナビゲーション装置５０で表示される内容を表示装置８２から表示させてもよく、ＨＭＩ７０の表示部のみに表示させてもよい。また、ナビゲーション装置５０は、ＨＭＩ７０から入力された情報を取得して、対応する処理を行ってよい。
【００３６】
また、ナビゲーション装置５０は、例えば、自車両Ｍの車両乗員等が保有するスマートフォンやタブレット端末等の端末装置の機能によって実現されてもよい。この場合、端末装置と車両制御システム１００との間で、無線または有線による通信によって情報の送受信が行われる。
【００３７】
通信装置５５は、例えば、セルラー網やＷｉ−Ｆｉ網、Ｂｌｕｅｔｏｏｔｈ（登録商標）、ＤＳＲＣ（Dedicated Short Range Communication）等を利用した無線通信を行う。通信装置５５は、例えば上述したナビゲーションサーバ３００や自車両Ｍの周辺車両等と、無線通信によるデータの送受信を行う。例えば、通信装置５５は、ナビゲーションサーバ３００に目的地までの経路探索の問い合わせ信号を送信したり、ナビゲーションサーバ３００から問い合わせに対する経路探索結果や、走行経路の状況等の情報を受信する。
【００３８】
車両センサ６０は、車速を検出する車速センサ、加速度を検出する加速度センサ、鉛直軸回りの角速度を検出するヨーレートセンサ、自車両Ｍの向きを検出する方位センサ等を含む。
【００３９】
図３は、ＨＭＩ７０の構成図である。ＨＭＩ７０は、例えば、運転操作系の構成と、非運転操作系の構成とを備える。これらの境界は明確なものではなく、運転操作系の構成が非運転操作系の機能を備える（或いはその逆）ことがあってもよい。ＨＭＩ７０の一部は、自車両の車両乗員からの指示や選択を受け付ける「操作受付部」の一例であり、車両乗員に情報を提示する「提示部」であり、画像を表示する「表示部」である。
【００４０】
ＨＭＩ７０は、運転操作系の構成として、例えば、アクセルペダル７１、アクセル開度センサ７２およびアクセルペダル反力出力装置７３と、ブレーキペダル７４およびブレーキ踏量センサ（或いはマスター圧センサ等）７５と、シフトレバー７６およびシフト位置センサ７７と、ステアリングホイール７８、ステアリング操舵角センサ７９およびステアリングトルクセンサ８０と、その他運転操作デバイス８１とを含む。
【００４１】
アクセルペダル７１は、車両乗員による加速指示（或いは戻し操作による減速指示）を受け付けるための操作子である。アクセル開度センサ７２は、アクセルペダル７１の踏み込み量を検出し、踏み込み量を示すアクセル開度信号を車両制御システム１００に出力する。なお、車両制御システム１００に出力するのに代えて、走行駆動力出力装置２００、ステアリング装置２１０、またはブレーキ装置２２０に直接出力することがあってもよい。以下に説明する他の運転操作系の構成についても同様である。アクセルペダル反力出力装置７３は、例えば車両制御システム１００からの指示に応じて、アクセルペダル７１に対して操作方向と反対向きの力（操作反力）を出力する。
【００４２】
ブレーキペダル７４は、車両乗員による減速指示を受け付けるための操作子である。ブレーキ踏量センサ７５は、ブレーキペダル７４の踏み込み量（或いは踏み込み力）を検出し、検出結果を示すブレーキ信号を車両制御システム１００に出力する。
【００４３】
シフトレバー７６は、車両乗員によるシフト段の変更指示を受け付けるための操作子である。シフト位置センサ７７は、車両乗員により指示されたシフト段を検出し、検出結果を示すシフト位置信号を車両制御システム１００に出力する。
【００４４】
ステアリングホイール７８は、車両乗員による旋回指示を受け付けるための操作子である。ステアリング操舵角センサ７９は、ステアリングホイール７８の操作角を検出し、検出結果を示すステアリング操舵角信号を車両制御システム１００に出力する。ステアリングトルクセンサ８０は、ステアリングホイール７８に加えられたトルクを検出し、検出結果を示すステアリングトルク信号を車両制御システム１００に出力する。
【００４５】
その他運転操作デバイス８１は、例えば、ジョイスティック、ボタン、ダイヤルスイッチ、ＧＵＩ（Graphical User Interface）スイッチ等である。その他運転操作デバイス８１は、加速指示、減速指示、旋回指示等を受け付け、車両制御システム１００に出力する。
【００４６】
ＨＭＩ７０は、非運転操作系の構成として、例えば、表示装置８２、スピーカ８３、接触操作検出装置８４およびコンテンツ再生装置８５と、各種操作スイッチ８６と、シート８８およびシート駆動装置８９と、ウインドウガラス９０およびウインドウ駆動装置９１と、車室内カメラ（撮像部）９５とを含む。
【００４７】
表示装置８２は、例えば、インストルメントパネルの各部、助手席や後部座席に対向する任意の箇所等に取り付けられる、ＬＣＤ（Liquid Crystal Display）や有機ＥＬ（Electro Luminescence）表示装置等である。また、表示装置８２は、フロントウインドシールドやその他のウインドウに画像を投影するＨＵＤ（Head Up Display）であってもよい。なお、表示装置８２、上述したナビゲーション装置５０、および自車両Ｍの車両乗員が保有する端末装置（例えば、スマートフォン、タブレット端末）等は、画像等の各種情報を表示する「表示部」の一例である。
【００４８】
スピーカ８３は、音声を出力する。接触操作検出装置８４は、表示装置８２がタッチパネルである場合に、表示装置８２の表示画面における接触位置（タッチ位置）を検出して、車両制御システム１００に出力する。なお、表示装置８２がタッチパネルでない場合、接触操作検出装置８４は省略されてよい。
【００４９】
表示装置８２は、上述したナビゲーション装置５０から出力される画像等の情報を出力することができ、接触操作検出装置８４から受け付けた車両乗員からの情報を、ナビゲーション装置５０に出力することができる。なお、表示装置８２は、例えば上述したナビゲーション装置５０の機能と同様の機能を有していてもよい。また、ナビゲーション装置５０は、ＨＭＩ７０に含まれていてもよい。
【００５０】
コンテンツ再生装置８５は、例えば、ＤＶＤ（Digital Versatile Disc）再生装置、ＣＤ（Compact Disc）再生装置、テレビジョン受信機、各種案内画像の生成装置等を含む。表示装置８２、スピーカ８３、接触操作検出装置８４およびコンテンツ再生装置８５は、一部または全部がナビゲーション装置５０と共通する構成であってもよい。
【００５１】
各種操作スイッチ８６は、車室内の任意の箇所に配置される。各種操作スイッチ８６には、自動運転の開始（或いは将来の開始）および停止を指示する自動運転切替スイッチ８７Ａと、各表示部（例えば、ナビゲーション装置５０、表示装置８２、コンテンツ再生装置８５）等における表示内容を切り替えるステアリングスイッチ８７Ｂとを含む。自動運転切替スイッチ８７Ａおよびステアリングスイッチ８７Ｂは、ＧＵＩ（Graphical User Interface）スイッチ、機械式スイッチのいずれであってもよい。また、各種操作スイッチ８６は、シート駆動装置８９やウインドウ駆動装置９１を駆動するためのスイッチを含んでもよい。各種操作スイッチ８６は、車両乗員からの操作を受け付けると、操作信号を車両制御システム１００に出力する。
【００５２】
シート８８は、車両乗員が着座するシートである。シート駆動装置８９は、シート８８のリクライニング角、前後方向位置、ヨー角等を自在に駆動する。ウインドウガラス９０は、例えば各ドアに設けられる。ウインドウ駆動装置９１は、ウインドウガラス９０を開閉駆動する。
【００５３】
車室内カメラ９５は、ＣＣＤやＣＭＯＳ等の固体撮像素子を利用したデジタルカメラである。車室内カメラ９５は、バックミラーやステアリングボス部、インストルメントパネル等、運転操作を行う車両乗員の少なくとも頭部を撮像可能な位置に取り付けられる。車室内カメラ９５は、例えば、周期的に繰り返し車両乗員を撮像する。また、車室内カメラ９５は、顔の特徴情報等に基づいて撮像画像を解析し、例えば車両乗員の顔の位置、視線、姿勢の状態を取得してもよい。
【００５４】
車両制御システム１００の説明に先立って、走行駆動力出力装置２００、ステアリング装置２１０、およびブレーキ装置２２０について説明する。
【００５５】
走行駆動力出力装置２００は、車両が走行するための走行駆動力（トルク）を駆動輪に出力する。走行駆動力出力装置２００は、例えば、自車両Ｍが内燃機関を動力源とした自動車である場合、エンジン、変速機、およびエンジンを制御するエンジンＥＣＵ（Electronic Control Unit）を備え、自車両Ｍが電動機を動力源とした電気自動車である場合、走行用モータおよび走行用モータを制御するモータＥＣＵを備え、自車両Ｍがハイブリッド自動車である場合、エンジン、変速機、およびエンジンＥＣＵと走行用モータおよびモータＥＣＵとを備える。走行駆動力出力装置２００がエンジンのみを含む場合、エンジンＥＣＵは、後述する走行制御部１６０から入力される情報に従って、エンジンのスロットル開度やシフト段等を調整する。走行駆動力出力装置２００が走行用モータのみを含む場合、モータＥＣＵは、走行制御部１６０から入力される情報に従って、走行用モータに与えるＰＷＭ信号のデューティ比を調整する。走行駆動力出力装置２００がエンジンおよび走行用モータを含む場合、エンジンＥＣＵおよびモータＥＣＵは、走行制御部１６０から入力される情報に従って、互いに協調して走行駆動力を制御する。
【００５６】
ステアリング装置２１０は、例えば、ステアリングＥＣＵと、電動モータとを備える。電動モータは、例えば、ラックアンドピニオン機構に力を作用させて転舵輪の向きを変更する。ステアリングＥＣＵは、車両制御システム１００から入力される情報、或いは入力されるステアリング操舵角またはステアリングトルクの情報に従って電動モータを駆動し、転舵輪の向きを変更させる。
【００５７】
ブレーキ装置２２０は、例えば、ブレーキキャリパーと、ブレーキキャリパーに油圧を伝達するシリンダと、シリンダに油圧を発生させる電動モータと、制動制御部とを備える電動サーボブレーキ装置である。電動サーボブレーキ装置の制動制御部は、走行制御部１６０から入力される情報に従って電動モータを制御し、制動操作に応じたブレーキトルクが各車輪に出力されるようにする。電動サーボブレーキ装置は、ブレーキペダルの操作によって発生させた油圧を、マスターシリンダを介してシリンダに伝達する機構をバックアップとして備えてよい。なお、ブレーキ装置２２０は、上記説明した電動サーボブレーキ装置に限らず、電子制御式油圧ブレーキ装置であってもよい。電子制御式油圧ブレーキ装置は、走行制御部１６０から入力される情報に従ってアクチュエータを制御して、マスターシリンダの油圧をシリンダに伝達する。また、ブレーキ装置２２０は、走行駆動力出力装置２００に含まれ得る走行用モータによる回生ブレーキを含んでもよい。
【００５８】
［車両制御システム］
以下、車両制御システム１００について説明する。車両制御システム１００は、例えば、一以上のプロセッサまたは同等の機能を有するハードウェアにより実現される。車両制御システム１００は、ＣＰＵ（Central Processing Unit）等のプロセッサ、記憶装置、および通信インターフェースが内部バスによって接続されたＥＣＵ（Electronic Control Unit）、或いはＭＰＵ（Micro-Processing Unit）等が組み合わされた構成であってよい。
【００５９】
図２に戻り、車両制御システム１００は、例えば、目標車線決定部１１０と、自動運転制御部１２０と、走行制御部１６０と、記憶部１８０とを備える。自動運転制御部１２０は、例えば、自動運転モード制御部１３０と、自車位置認識部１４０と、外界認識部１４２と、行動計画生成部１４４と、軌道生成部１４６と、切替制御部１５０とを備える。
【００６０】
目標車線決定部１１０、自動運転制御部１２０の各部、走行制御部１６０、およびＨＭＩ制御部１７０のうち一部または全部は、プロセッサがプログラム（ソフトウェア）を実行することにより実現される。また、これらのうち一部または全部は、ＬＳＩ（Large Scale Integration）やＡＳＩＣ（Application Specific Integrated Circuit）等のハードウェアによって実現されてもよいし、ソフトウェアとハードウェアの組み合わせによって実現されてもよい。
【００６１】
記憶部１８０には、例えば、高精度地図情報１８２、目標車線情報１８４、行動計画情報１８６、モード別操作可否情報１８８等の情報が格納される。記憶部１８０は、ＲＯＭ（Read Only Memory）やＲＡＭ（Random Access Memory）、ＨＤＤ（Hard Disk Drive）、フラッシュメモリ等で実現される。プロセッサが実行するプログラムは、予め記憶部１８０に格納されていてもよいし、車載インターネット設備等を介して外部装置からダウンロードされてもよい。また、プログラムは、そのプログラムを格納した可搬型記憶媒体が図示しないドライブ装置に装着されることで記憶部１８０にインストールされてもよい。また、車両制御システム１００のコンピュータ（車載コンピュータ）は、複数のコンピュータ装置によって分散化されたものであってもよい。
【００６２】
目標車線決定部１１０は、例えば、ＭＰＵにより実現される。目標車線決定部１１０は、ナビゲーション装置５０から提供された経路を複数のブロックに分割し（例えば、車両進行方向に関して１００［ｍ］ごとに分割し）、高精度地図情報１８２を参照してブロックごとに目標車線を決定する。
【００６３】
また、目標車線決定部１１０は、ナビゲーション装置５０から提供された経路に対して、例えば上述したブロックごとに自動運転可否を判定する。例えば、目標車線決定部１１０は、自動運転制御部１２０の制御により、自車両Ｍを自動運転モードで走行させることが可能な区間（自動運転区間）において、例えば左から何番目の車線を走行するといった決定を行う。自動運転モードで走行させることが可能な区間は、例えば、高速道路の出入口（ランプ、インターチェンジ）や料金所等の位置、道路の形状（所定距離以上の直線）等に基づいて設定することができる。自動運転モードで走行させることが可能である区間とは、例えば高速道路を走行する区間等であるが、これに限定されるものではなく、例えば交通量や交差点等が少ない一般道路の区間等でもよい。
【００６４】
また、目標車線決定部１１０は、ナビゲーション装置５０から提供された経路に対する走行距離や目安となる予想走行時間等を取得する。走行距離は、高精度地図情報１８２に含まれる各道路の距離情報に基づいて取得することができる。また、予想走行時間は、高精度地図情報１８２に含まれる各道路の走行時の法定速度等に基づいて取得することができる。なお、これらの情報は、ナビゲーションサーバ３００から取得してもよい。
【００６５】
また、目標車線決定部１１０は、例えば自車両Ｍの走行経路に対する自動運転比率を算出する。自動運転比率とは、例えば、経路全体に対して自動運転が実施できる占有率である。例えば、目標車線決定部１１０は、目的地までの走行経路の距離を、その走行経路に対して自動運転を実施することができる距離で除算することで、走行経路に対する自動運転比率を算出する。また、目標車線決定部１１０は、目的地までの予想走行時間を、その走行経路に対する自動運転での予想走行時間で除算することで、自動運転比率を算出する。また、目標車線決定部１１０は、例えば、走行経路に対して自動運転が実施できる距離、自動運転での予想走行時間、自動運転を実施するタイミング、および自動運転を実施する回数のうち、少なくとも１つを算出してもよい。なお、上述した処理は、目標車線決定部１１０が行ってもよく、ナビゲーション装置５０が行ってもよい。
【００６６】
目標車線決定部１１０は、例えば、走行する経路において分岐箇所や合流箇所等が存在する場合、自車両Ｍが、分岐先に進行するための合理的な走行経路を走行できるように、目標車線を決定する。目標車線決定部１１０により決定された目標車線は、目標車線情報１８４として記憶部１８０に記憶される。
【００６７】
高精度地図情報１８２は、ナビゲーション装置５０やナビゲーションサーバ３００が有するナビ地図よりも高精度な地図情報である。高精度地図情報１８２は、例えば、車線の中央の情報あるいは車線の境界の情報等を含んでいる。また、高精度地図情報１８２には、道路情報、交通規制情報、住所情報（住所・郵便番号）、施設情報、電話番号情報等が含まれてよい。道路情報には、高速道路、有料道路、国道、都道府県道といった道路の種別を表す情報や、道路の車線数、各車線の幅員、道路の勾配、道路の位置（経度、緯度、高さを含む３次元座標）、車線のカーブの曲率、車線の合流および分岐ポイントの位置、道路に設けられた標識等の情報が含まれる。交通規制情報には、工事や交通事故、渋滞等によって車線が封鎖されているといった情報が含まれてもよい。
【００６８】
また、目標車線決定部１１０は、上述したナビゲーション装置５０により、走行経路の候補を示す情報を取得した際、高精度地図情報１８２等を参照して、自動運転制御部１２０から自動運転モードで走行する区間の情報を取得し、取得した情報をナビゲーション装置５０に出力する。また、目標車線決定部１１０は、ナビゲーション装置５０から目的地までの経路および自動運転区間が確定した場合に、その経路および自動運転区間に対応する目標車線情報１８４を生成し、記憶部１８０に記憶する。
【００６９】
自動運転制御部１２０は、例えば自車両Ｍの速度制御および操舵制御のうち、少なくとも一方を自動的に行う自動運転を実施する。なお、速度制御とは、例えば単位時間における閾値以上の速度変化量を有する加速および減速のうち、一方または双方を含む加速度の制御である。また、速度制御には、一定の速度範囲で走行する定速走行制御が含まれてもよい。また、自動運転制御部１２０は、走行経路および自動運転を実施する区間が選択された後、ナビゲーション装置５０等の表示部に対する表示制御を行ってもよい。
【００７０】
自動運転モード制御部１３０は、自動運転制御部１２０が実施する自動運転のモードを決定する。本実施形態における自動運転のモードには、以下のモードが含まれる。なお、以下はあくまで一例であり、自動運転のモード数は任意に決定されてよい。
【００７１】
［モードＡ］
モードＡは、最も自動運転の度合が高いモードである。モードＡが実施されている場合、複雑な合流制御等、全ての車両制御が自動的に行われるため、車両乗員は自車両Ｍの周辺や状態を監視する必要がない。
【００７２】
［モードＢ］
モードＢは、モードＡの次に自動運転の度合が高いモードである。モードＢが実施されている場合、原則として全ての車両制御が自動的に行われるが、場面に応じて自車両Ｍの運転操作が車両乗員に委ねられる。このため、車両乗員は自車両Ｍの周辺や状態を監視している必要がある。
【００７３】
［モードＣ］
モードＣは、モードＢの次に自動運転の度合が高いモードである。モードＣが実施されている場合、車両乗員は、場面に応じた確認操作をＨＭＩ７０に対して行う必要がある。モードＣでは、例えば、車線変更のタイミングが車両乗員に通知され、車両乗員がＨＭＩ７０に対して車線変更を指示する操作を行った場合に、自動的な車線変更が行われる。このため、車両乗員は自車両Ｍの周辺や状態を監視している必要がある。
【００７４】
自動運転モード制御部１３０は、ＨＭＩ７０に対する車両乗員の操作、行動計画生成部１４４により決定されたイベント、軌道生成部１４６により決定された走行態様等に基づいて、自動運転のモードを決定する。自動運転のモードは、ＨＭＩ制御部１７０に通知される。また、自動運転のモードには、自車両Ｍの検知デバイスＤＤの性能等に応じた限界が設定されてもよい。例えば、検知デバイスＤＤの性能が低い場合には、モードＡは実施されないものとしてよい。いずれのモードにおいても、ＨＭＩ７０における運転操作系の構成に対する操作によって、手動運転モードに切り替えること（オーバーライド）は可能である。
【００７５】
自車位置認識部１４０は、記憶部１８０に格納された高精度地図情報１８２と、ファインダ２０、レーダ３０、カメラ４０、ナビゲーション装置５０、または車両センサ６０から入力される情報とに基づいて、自車両Ｍが走行している車線（走行車線）、および、走行車線に対する自車両Ｍの相対位置を認識する。
【００７６】
自車位置認識部１４０は、例えば、高精度地図情報１８２から認識される道路区画線のパターン（例えば実線と破線の配列）と、カメラ４０によって撮像された画像から認識される自車両Ｍの周辺の道路区画線のパターンとを比較することで、走行車線を認識する。この認識において、ナビゲーション装置５０から取得される自車両Ｍの位置やＩＮＳによる処理結果が加味されてもよい。
【００７７】
図４は、自車位置認識部１４０により走行車線Ｌ１に対する自車両Ｍの相対位置が認識される様子を示す図である。自車位置認識部１４０は、例えば、自車両Ｍの基準点（例えば重心）の走行車線中央ＣＬからの乖離ＯＳ、および自車両Ｍの進行方向の走行車線中央ＣＬを連ねた線に対してなす角度θを、走行車線Ｌ１に対する自車両Ｍの相対位置として認識する。なお、これに代えて、自車位置認識部１４０は、走行車線Ｌ１のいずれかの側端部に対する自車両Ｍの基準点の位置等を、走行車線に対する自車両Ｍの相対位置として認識してもよい。自車位置認識部１４０により認識される自車両Ｍの相対位置は、目標車線決定部１１０に提供される。
【００７８】
外界認識部１４２は、ファインダ２０、レーダ３０、カメラ４０等から入力される情報に基づいて、周辺車両の位置、および速度、加速度等の状態を認識する。周辺車両とは、例えば、自車両Ｍの周辺を走行する車両であって、自車両Ｍと同じ方向に走行する車両である。周辺車両の位置は、他車両の重心やコーナー等の代表点で表されてもよいし、他車両の輪郭で表現された領域で表されてもよい。周辺車両の「状態」とは、上記各種機器の情報に基づいて把握される、周辺車両の加速度、車線変更をしているか否か（あるいは車線変更をしようとしているか否か）を含んでもよい。また、外界認識部１４２は、周辺車両に加えて、ガードレールや電柱、駐車車両、歩行者、落下物、踏切、信号機、工事現場等の付近に設置された看板、その他の物体の位置を認識してもよい。
【００７９】
行動計画生成部１４４は、自動運転のスタート地点、および／または自動運転の目的地を設定する。自動運転のスタート地点は、自車両Ｍの現在位置であってもよいし、自動運転を指示する操作がなされた地点でもよい。行動計画生成部１４４は、そのスタート地点と自動運転の目的地との間の区間において、行動計画を生成する。なお、これに限らず、行動計画生成部１４４は、任意の区間について行動計画を生成してもよい。
【００８０】
行動計画は、例えば、順次実行される複数のイベントで構成される。イベントには、例えば、自車両Ｍを減速させる減速イベントや、自車両Ｍを加速させる加速イベント、走行車線を逸脱しないように自車両Ｍを走行させるレーンキープイベント、走行車線を変更させる車線変更イベント、自車両Ｍに前走車両を追い越させる追い越しイベント、分岐ポイントにおいて所望の車線に変更させたり、現在の走行車線を逸脱しないように自車両Ｍを走行させたりする分岐イベント、本線に合流するための合流車線において自車両Ｍを加減速させ、走行車線を変更させる合流イベント、自動運転の開始地点で手動運転モードから自動運転モードに移行させたり、自動運転の終了予定地点で自動運転モードから手動運転モードに移行させたりするハンドオーバイベント等が含まれる。
【００８１】
行動計画生成部１４４は、目標車線決定部１１０により決定された目標車線が切り替わる箇所において、車線変更イベント、分岐イベント、または合流イベントを設定する。行動計画生成部１４４によって生成された行動計画を示す情報は、行動計画情報１８６として記憶部１８０に格納される。
【００８２】
図５は、ある区間について生成された行動計画の一例を示す図である。図示するように、行動計画生成部１４４は、目標車線情報１８４が示す目標車線上を自車両Ｍが走行するために必要な行動計画を生成する。なお、行動計画生成部１４４は、自車両Ｍの状況変化に応じて、目標車線情報１８４に拘わらず、動的に行動計画を変更してもよい。例えば、行動計画生成部１４４は、車両走行中に外界認識部１４２によって認識された周辺車両の速度が閾値を超えたり、自車線に隣接する車線を走行する周辺車両の移動方向が自車線方向に向いたりした場合に、自車両Ｍが走行予定の運転区間に設定されたイベントを変更する。例えば、レーンキープイベントの後に車線変更イベントが実行されるようにイベントが設定されている場合において、外界認識部１４２の認識結果によって当該レーンキープイベント中に車線変更先の車線後方から車両が閾値以上の速度で進行してきたことが判明した場合、行動計画生成部１４４は、レーンキープイベントの次のイベントを、車線変更イベントから減速イベントやレーンキープイベント等に変更してよい。この結果、車両制御システム１００は、外界の状態に変化が生じた場合においても、安全に自車両Ｍを自動走行させることができる。
【００８３】
図６は、軌道生成部１４６の構成の一例を示す図である。軌道生成部１４６は、例えば、走行態様決定部１４６Ａと、軌道候補生成部１４６Ｂと、評価・選択部１４６Ｃとを備える。
【００８４】
走行態様決定部１４６Ａは、例えば、レーンキープイベントを実施する際に、定速走行、追従走行、低速追従走行、減速走行、カーブ走行、障害物回避走行等のうち、いずれかの走行態様を決定する。例えば、走行態様決定部１４６Ａは、自車両Ｍの前方に他車両が存在しない場合に、走行態様を定速走行に決定する。また、走行態様決定部１４６Ａは、前走車両に対して追従走行するような場合に、走行態様を追従走行に決定する。また、走行態様決定部１４６Ａは、渋滞場面等において、走行態様を低速追従走行に決定する。また、走行態様決定部１４６Ａは、外界認識部１４２により前走車両の減速が認識された場合や、停車や駐車等のイベントを実施する場合に、走行態様を減速走行に決定する。また、走行態様決定部１４６Ａは、外界認識部１４２により自車両Ｍがカーブ路に差し掛かったことが認識された場合に、走行態様をカーブ走行に決定する。また、走行態様決定部１４６Ａは、外界認識部１４２により自車両Ｍの前方に障害物が認識された場合に、走行態様を障害物回避走行に決定する。
【００８５】
軌道候補生成部１４６Ｂは、走行態様決定部１４６Ａにより決定された走行態様に基づいて、軌道の候補を生成する。図７は、軌道候補生成部１４６Ｂにより生成される軌道の候補の一例を示す図である。図７は、自車両Ｍが車線Ｌ１から車線Ｌ２に車線変更する場合に生成される軌道の候補を示している。
【００８６】
軌道候補生成部１４６Ｂは、図７に示すような軌道を、例えば、将来の所定時間ごとに、自車両Ｍの基準位置（例えば重心や後輪軸中心）が到達すべき目標位置（軌道点Ｋ）の集まりとして決定する。図８は、軌道候補生成部１４６Ｂにより生成される軌道の候補を軌道点Ｋで表現した図である。軌道点Ｋの間隔が広いほど、自車両Ｍの速度は速くなり、軌道点Ｋの間隔が狭いほど、自車両Ｍの速度は遅くなる。従って、軌道候補生成部１４６Ｂは、加速したい場合には軌道点Ｋの間隔を徐々に広くし、減速したい場合は軌道点の間隔を徐々に狭くする。
【００８７】
このように、軌道点Ｋは速度成分を含むものであるため、軌道候補生成部１４６Ｂは、軌道点Ｋのそれぞれに対して目標速度を与える必要がある。目標速度は、走行態様決定部１４６Ａにより決定された走行態様に応じて決定される。
【００８８】
ここで、車線変更（分岐を含む）を行う場合の目標速度の決定手法について説明する。軌道候補生成部１４６Ｂは、まず、車線変更ターゲット位置（或いは合流ターゲット位置）を設定する。車線変更ターゲット位置は、周辺車両との相対位置として設定されるものであり、「どの周辺車両の間に車線変更するか」を決定するものである。軌道候補生成部１４６Ｂは、車線変更ターゲット位置を基準として３台の周辺車両に着目し、車線変更を行う場合の目標速度を決定する。
【００８９】
図９は、車線変更ターゲット位置ＴＡを示す図である。図中、Ｌ１は自車線を表し、Ｌ２は隣接車線を表している。ここで、自車両Ｍと同じ車線で、自車両Ｍの直前を走行する周辺車両を前走車両ｍＡ、車線変更ターゲット位置ＴＡの直前を走行する周辺車両を前方基準車両ｍＢ、車線変更ターゲット位置ＴＡの直後を走行する周辺車両を後方基準車両ｍＣと定義する。自車両Ｍは、車線変更ターゲット位置ＴＡの側方まで移動するために加減速を行う必要があるが、この際に前走車両ｍＡに追いついてしまうことを回避しなければならない。このため、軌道候補生成部１４６Ｂは、３台の周辺車両の将来の状態を予測し、各周辺車両と干渉しないように目標速度を決定する。
【００９０】
図１０は、３台の周辺車両の速度を一定と仮定した場合の速度生成モデルを示す図である。図中、ｍＡ、ｍＢおよびｍＣから延出する直線は、それぞれの周辺車両が定速走行したと仮定した場合の進行方向における変位を示している。自車両Ｍは、車線変更が完了するポイントＣＰにおいて、前方基準車両ｍＢと後方基準車両ｍＣとの間にあり、且つ、それ以前において前走車両ｍＡよりも後ろにいなければならない。このような制約の下、軌道候補生成部１４６Ｂは、車線変更が完了するまでの目標速度の時系列パターンを、複数導出する。そして、目標速度の時系列パターンをスプライン曲線等のモデルに適用することで、上述した図７に示すような軌道の候補を複数導出する。なお、３台の周辺車両の運動パターンは、図１０に示すような定速度に限らず、定加速度、定ジャーク（躍度）を前提として予測されてもよい。
【００９１】
評価・選択部１４６Ｃは、軌道候補生成部１４６Ｂにより生成された軌道の候補に対して、例えば、計画性と安全性の二つの観点で評価を行い、走行制御部１６０に出力する軌道を選択する。計画性の観点からは、例えば、既に生成されたプラン（例えば行動計画）に対する追従性が高く、軌道の全長が短い場合に軌道が高く評価される。例えば、右方向に車線変更することが望まれる場合に、一旦左方向に車線変更して戻るといった軌道は、低い評価となる。安全性の観点からは、例えば、それぞれの軌道点において、自車両Ｍと物体（周辺車両等）との距離が遠く、加減速度や操舵角の変化量等が小さいほど高く評価される。
【００９２】
切替制御部１５０は、自動運転切替スイッチ８７Ａから入力される信号に基づいて自動運転モードと手動運転モードとを相互に切り替える。また、切替制御部１５０は、ＨＭＩ７０における運転操作系の構成に対する加速、減速または操舵を指示する操作に基づいて、自動運転モードから手動運転モードに切り替える。例えば、切替制御部１５０は、ＨＭＩ７０における運転操作系の構成から入力された信号の示す操作量が閾値を超えた状態が、基準時間以上継続した場合に、自動運転モードから手動運転モードに切り替える（オーバーライド）。また、切替制御部１５０は、オーバーライドによる手動運転モードへの切り替えの後、所定時間の間、ＨＭＩ７０における運転操作系の構成に対する操作が検出されなかった場合に、自動運転モードに復帰させてもよい。
【００９３】
走行制御部１６０は、軌道生成部１４６によって生成された（スケジューリングされた）走行軌道（軌道情報）を、予定の時刻通りに自車両Ｍが通過するように、走行駆動力出力装置２００、ステアリング装置２１０、およびブレーキ装置２２０を制御する。また、走行制御部１６０は、走行軌道に対応付けて自車両Ｍの加減速を制御する。
【００９４】
ＨＭＩ制御部１７０は、自動運転制御部１２０により自動運転のモードの情報が通知されると、モード別操作可否情報１８８を参照して、自動運転のモードの種別に応じてＨＭＩ７０を制御する。
【００９５】
図１１は、モード別操作可否情報１８８の一例を示す図である。図１１に示すモード別操作可否情報１８８は、運転モードの項目として「手動運転モード」と、「自動運転モード」とを有する。また、「自動運転モード」として、上述した「モードＡ」、「モードＢ」、および「モードＣ」等を有する。また、モード別操作可否情報１８８は、非運転操作系の項目として、ナビゲーション装置５０に対する操作である「ナビゲーション操作」、コンテンツ再生装置８５に対する操作である「コンテンツ再生操作」、表示装置８２に対する操作である「インストルメントパネル操作」等を有する。図１１に示すモード別操作可否情報１８８の例では、上述した運転モードごとに非運転操作系に対する車両乗員の操作の可否が設定されているが、対象のインターフェース装置（表示部等）は、これに限定されるものではない。
【００９６】
ＨＭＩ制御部１７０は、自動運転制御部１２０から取得したモードの情報に基づいてモード別操作可否情報１８８を参照することで、使用が許可される装置と、使用が許可されない装置とを判定する。また、ＨＭＩ制御部１７０は、判定結果に基づいて、非運転操作系のＨＭＩ７０、またはナビゲーション装置５０に対する車両乗員からの操作の受け付けの可否を制御する。
【００９７】
例えば、車両制御システム１００が実施する運転モードが手動運転モードの場合、車両乗員は、ＨＭＩ７０の運転操作系（例えば、アクセルペダル７１、ブレーキペダル７４、シフトレバー７６、およびステアリングホイール７８等）を操作する。また、車両制御システム１００が実施する運転モードが自動運転モードのモードＢまたはモードＣ等である場合、車両乗員には、自車両Ｍの周辺監視義務が生じる。このような場合、車両乗員の運転以外の行動（例えばＨＭＩ７０の操作等）により注意が散漫になること（ドライバーディストラクション）を防止するため、ＨＭＩ制御部１７０は、ＨＭＩ７０の非運転操作系の一部または全部に対する操作を受け付けないように制御を行う。この際、ＨＭＩ制御部１７０は、自車両Ｍの周辺監視を行わせるために、外界認識部１４２により認識された自車両Ｍの周辺車両の存在やその周辺車両の状態を、表示装置８２に画像等で表示させると共に、自車両Ｍの走行時の場面に応じた確認操作をＨＭＩ７０に受け付けさせてよい。
【００９８】
また、ＨＭＩ制御部１７０は、運転モードが自動運転のモードＡである場合、ドライバーディストラクションの規制を緩和し、操作を受け付けていなかった非運転操作系に対する車両乗員の操作を受け付ける制御を行う。例えば、ＨＭＩ制御部１７０は、表示装置８２に映像を表示させたり、スピーカ８３に音声を出力させたり、コンテンツ再生装置８５にＤＶＤ等からコンテンツを再生させたりする。なお、コンテンツ再生装置８５が再生するコンテンツには、ＤＶＤ等に格納されたコンテンツの他、例えば、テレビ番組等の娯楽、エンターテイメントに関する各種コンテンツが含まれてよい。また、図１１に示す「コンテンツ再生操作」は、このような娯楽、エンターテイメントに関するコンテンツ操作を意味するものであってよい。
【００９９】
[画面例]
ここで、本実施形態におけるナビゲーション装置５０から車両乗員に提示される情報の一例として、ナビゲーション装置５０の画面に表示される各画面例について、図を用いて説明する。なお、以下に説明する画面例は、表示される位置や大きさ、表示内容等については、これに限定されるものではない。
【０１００】
図１２は、目的地の設定画面の一例を示す図である。ナビゲーション装置５０は、目的地を設定する旨の指示を車両乗員から受け付けた場合に、図１２に示すように、目的地を設定するためのメニュー画面（インターフェース画面の一例）４００を表示する。メニュー画面４００には、「周辺施設」、「ジャンル」、「テーマパーク」、「郵便番号」、「電話番号」、「住所」等の各カテゴリを選択させるボタン（ＧＵＩアイコン等）４０２が表示される。
【０１０１】
例えば、「周辺施設」ボタンの選択を受け付けた場合、ナビゲーション装置５０は、自車両Ｍの現在位置に対応する周辺施設（例えば、駐車場、ガソリンスタンド）を表示する画面に遷移する。また、「ジャンル」ボタンの選択を受け付けた場合、ナビゲーション装置５０は、「レストラン」、「公園」、「映画館」等の条件で目的地を設定できる画面に遷移する。また、「テーマパーク」ボタンの選択を受け付けた場合、ナビゲーション装置５０は、「遊園地」、「動物園」、「水族館」等のリストから目的地を設定できる画面に遷移する。また、「郵便番号」ボタンの選択を受け付けた場合、ナビゲーション装置５０は、郵便番号の入力により目的地を設定できる画面に遷移する。また、「電話番号」ボタンの選択を受け付けた場合、ナビゲーション装置５０は、電話番号の入力により目的地を設定できる画面に遷移する。また、「住所」ボタンの選択を受け付けた場合、ナビゲーション装置５０は、住所の入力により目的地を設定できる画面に遷移する。
【０１０２】
図１３は、経路探索開始画面の一例を示す図である。図１３の例に示す経路探索開始画面（インターフェース画面の一例）４１０には、入力領域４１２と、探索条件設定領域４１４と、経路探索実行選択領域４１６とが設けられている。図１３では、例えば図１２に示すメニュー画面４００において、車両乗員により「テーマパーク」ボタンが選択され、予め設定された複数のテーマパークのリストから「○○ランド」が選択され、経路探索開始画面４１０の入力領域４１２に表示された例を示している。
【０１０３】
また、探索条件設定領域４１４には、例えば「走行距離優先」、「時間優先」、「コスト優先」、「自動運転比率優先」等の各ボタンが設けられており、これらの条件のうち、少なくとも１つの選択により探索条件が設定される。例えば「走行距離優先」のボタンが選択された場合、目的地までの経路探索において、走行距離が短い順に経路が探索される。「時間優先」のボタンが選択された場合、目的地までの経路探索において、予想走行時間が短い順に経路が探索される。「コスト優先」のボタンが選択された場合、目的地までの経路探索において、走行経路で通過する有料道路等の交通費が安い順に経路が探索される。「自動運転比率優先」のボタンが選択された場合、目的地までの経路探索において、走行経路における自動運転比率が高い順に経路が探索される。
【０１０４】
また、経路探索実行選択領域４１６には、例えば「経路探索開始」、「キャンセル」等の各が設けられている。例えば「経路探索開始」ボタンの選択を受け付けた場合、ナビゲーション装置５０は、設定された目的地および探索条件に基づいて経路の探索を行う。また、「キャンセル」ボタンの選択を受け付けた場合、ナビゲーション装置５０は、目的地への経路の探索をキャンセルし、メニュー画面４００等に遷移する。
【０１０５】
図１４は、経路探索結果表示画面の一例を示す図である。図１４に示す経路探索結果表示画面（インターフェース画面の一例）４２０は、経路候補表示領域４２２と、経路案内実行選択領域４２４とが設けられている。
【０１０６】
経路候補表示領域４２２には、地図情報と、自車両Ｍの位置を示すオブジェクト４３０と、設定した目的地の位置を示すオブジェクト４３２と、走行経路の候補を示すオブジェクト４３４とが表示されている。なお、各オブジェクト４３０〜４３４の表示形態については、図１４の例に限定されるものではない。図１４では、一例として、経路探索により得られる３つの走行経路（例えば、ルートＡ〜ルートＣ）の候補を示すオブジェクト４３４ａ〜４３４ｃが表示されている。
【０１０７】
ナビゲーション装置５０は、図１４に示すように、各オブジェクト４３０〜４３４を、地図情報に重畳して経路候補表示領域４２２に表示してもよく、地図情報と統合した画像を生成して経路候補表示領域４２２に表示してもよい。また、ナビゲーション装置５０は、走行経路の各候補のオブジェクト４３４ａ〜４３４ｃを同時に表示させてもよく、各候補のオブジェクト４３４ａ〜４３４ｃを所定の順序で所定時間ごとに切り替えて表示させてもよい。
【０１０８】
また、ナビゲーション装置５０は、走行経路の各候補のオブジェクト４３４ａ〜４３４ｃごとに、自車両Ｍが自動運転モードで走行可能な自動運転区間を示すオブジェクト４３６を経路探索結果表示画面４２０に表示された画像に重畳表示または統合表示する。例えば、図１の走行経路のオブジェクト４３４ａに対しては、上述した目標車線決定部１１０により決定された３つの自動運転区間のオブジェクト４３６ａ〜４３６ｃが、走行経路のオブジェクト４３４ａや他の画像（オブジェクト等）と識別可能な色、模様、記号等からなるオブジェクト等で表示される。
【０１０９】
また、図１４に示す経路探索結果表示画面４２０は、走行経路を選択する選択画面であってもよい。この場合、自車両Ｍの車両乗員は、ナビゲーション装置５０の経路探索結果表示画面４２０に表示された走行経路の各候補のオブジェクト４３４ａ〜４３４ｃのうち、いずれか１つの走行経路のオブジェクトが表示された部分をタッチする。これにより、走行経路の選択操作が受け付けられて、その走行経路が選択される。
【０１１０】
経路案内実行選択領域４２４には、「経路確定」、「自動運転比率表示」、「キャンセル」等の各ボタンが設けられている。「経路確定」ボタンの選択を受け付けた場合、ナビゲーション装置５０は、現時点で選択された走行経路および自動運転区間で経路案内および自動運転を開始する。「自動運転比率表示」ボタンの選択を受け付けた場合、ナビゲーション装置５０は、自動運転比率表示画面に遷移する。なお、本実施形態では、探索結果により複数の走行経路の候補が存在する場合に、各走行経路の候補に対して自動運転比率を表示する。「キャンセル」ボタンの選択を受け付けた場合、ナビゲーション装置５０は、経路探索をキャンセルし、メニュー画面４００に遷移する。
【０１１１】
図１５は、自動運転比率表示画面の一例を示す図である。図１５に示す自動運転比率表示画面４４０は、自動運転比率表示領域４４２と、経路案内実行選択領域４４４とが設けられている。
【０１１２】
自動運転比率表示領域４４２には、経路探索により得られる３つの走行経路（例えばルートＡ〜ルートＣ）ごとに、自動運転比率と、走行距離と、上述した走行経路の各候補のオブジェクト４３４ａ〜４３４ｃが表示されている。なお、走行経路の各候補のオブジェクト４３４ａ〜４３４ｃ上には、自動運転区間を示すオブジェクト４３６も含まれる。自動運転比率は、例えば目的地までの走行経路の距離を、走行経路に対して自動運転を実施することができる距離で除算したり、目的地までの予想走行時間を、その走行経路に対する自動運転での予想走行時間で除算することで算出する。自動運転比率の算出は、目標車線決定部１１０が行ってもよく、ナビゲーション装置５０が行ってもよい。
【０１１３】
また、自動運転比率表示領域４４２には、上述した自動運転を実施したときの走行時間を表示してもよく、自動運転を実施したときの走行時間を表示してもよく、自動運転と手動運転との切り替わり回数（例えば、自動運転の実施回数、ハンドオーバ制御の回数）を表示してもよい。
【０１１４】
また、ナビゲーション装置５０は、図１５に示す自動運転比率表示領域４４２に、自車両Ｍの現在位置から目的地（オブジェクト４３２）までの走行経路の各候補のオブジェクト４３４ａ〜４３４ｃを直線で表示させたり、走行距離に応じた長さで各候補のオブジェクト４３４ａ〜４３４ｃを表示させることで、自車両Ｍの走行工程や自動運転が実施されるタイミング、自動運転等の実施回数等を車両乗員に分かりやすく通知することができる。
【０１１５】
また、図１５に示す自動運転比率表示画面４４０は、走行経路を選択する選択画面であってもよい。この場合、自車両Ｍの車両乗員は、ナビゲーション装置５０の自動運転比率表示画面４４０に表示された走行経路の各候補のオブジェクト４３４ａ〜４３４ｃのうち、いずれか１つの走行経路のオブジェクトが表示された部分をタッチする。これにより、走行経路の選択操作が受け付けられて、その走行経路が選択される。また、ナビゲーション装置５０は、「ルートＡ」から「ルートＣ」の表記のうち、いずれか１つの選択操作を受け付けることで、その走行経路が選択されてもよい。
【０１１６】
経路案内実行選択領域４４４には、「経路確定」、「前画面に戻る」、「キャンセル」等の各ボタンが設けられている。「経路確定」ボタンの選択を受け付けた場合、ナビゲーション装置５０は、現時点で選択された走行経路および自動運転区間で経路案内および自動運転を開始する。「前画面に戻る」ボタンの選択を受け付けた場合、ナビゲーション装置５０は、図１４に示す経路探索結果表示画面４２０に遷移する。「キャンセル」ボタンの選択を受け付けた場合、ナビゲーション装置５０は、経路探索をキャンセルし、メニュー画面４００に遷移する。
【０１１７】
本実施形態における自動運転比率表示画面の一例については、図１５の例に限定されるものではなく、例えばリスト形式等により、自動運転比率を表示してもよい。図１６は、自動運転比率表示画面の他の例を示す図である。図１６に示す自動運転比率表示画面４５０は、自動運転比率リスト４５２と、経路案内実行選択領域４５４とが設けられている。なお、経路案内実行選択領域４５４は、上述した経路案内実行選択領域４４４と同様のボタンを備え、各ボタンの選択による処理内容も上述の内容と同様であるため、ここでの具体的な説明は、省略する。
【０１１８】
自動運転比率リスト４５２には、経路探索により得られる３つの走行経路（例えばルートＡ〜ルートＣ）ごとに、例えば目的地までの走行距離と、予想走行時間と、コスト（有料道路）と、自動運転比率とが表示されている。コストは、例えば目的地までの走行経路における有料道路等の費用であるが、これに限定されるものではなく、自車両Ｍの燃費等から推定されるコスト等であってもよい。
【０１１９】
また、自動運転比率リスト４５２には、例えば自動運転モードや手動運転モードにおける走行距離や予想走行時間等を表示してもよく、自動運転と手動運転との切り替わり回数（例えば、自動運転の実施回数、ハンドオーバ制御の回数）等を表示してもよい。
【０１２０】
また、図１６に示す自動運転比率表示画面４５０は、走行経路を選択する選択画面であってもよい。この場合、自車両Ｍの車両乗員は、ナビゲーション装置５０の自動運転比率表示画面４５０に表示された自動運転比率リスト４５２の「ルートＡ」から「ルートＣ」の文字が表示された領域のうち、いずれか１つの領域をタッチする。これにより、表示されたルートに対応する走行経路の選択操作が受け付けられて、その走行経路が選択される。
【０１２１】
なお、上述した図１２から図１６までの例では、各画面の一部または全部を組み合わせた画面を表示してもよい。例えば、図１５および図１６に示す自動運転比率表示画面４４０、４５０を、１つの画面上に表示してもよく、また図１４に示す経路探索結果表示画面４２０上に表示してもよい。つまり、図１４に示す経路候補表示領域４２２に、走行経路の各候補に対応する自動運転比率を表示してもよい。また、例えば、上述した図１４から図１６の各画面に表示される走行経路ごとに、目的地までの全体の所要時間や経済性に関する情報等を表示してもよい。
【０１２２】
また、上述した図１２から図１６までの例では、ナビゲーション装置５０に表示される画面例を示したが、例えば車両制御システム１００における１以上の表示部として、上述した自車両Ｍに設置されたＨＭＩ７０の表示部（ナビゲーション装置５０、表示装置８２等）、および自車両Ｍの車両乗員が保有する端末装置のうち、一方または双方を備え、上述した各画面例の一部又は全部を複数の表示部に表示させてもよい。
【０１２３】
この場合、例えば、図１４に示す経路探索結果表示画面４２０のうち、経路候補表示領域４２２をナビゲーション装置５０に表示させ、経路案内実行選択領域４２４を端末装置に表示させてもよい。各表示部は、それぞれＨＭＩ制御部１７０の制御によりデータの送受信が可能である。したがって、端末装置により選択された情報は、ナビゲーション装置５０に表示された経路候補表示領域４２２に反映される。また、ＨＭＩ制御部１７０は、例えば、ナビゲーション装置５０に表示された内容を表示装置８２にも同時に表示させることができる。なお、どの表示部にどのような内容を表示させるかについては、予め設定されていてもよく、車両乗員等により任意に設定してもよい。
【０１２４】
また、ＨＭＩ制御部１７０は、例えば上述した図１５、図１６に示すような自動運転に関する各種情報（自動運転比率等）を、ＨＭＩ７０のスピーカ８３を介して音声出力させることで、自車両Ｍの車両乗員に提示してもよい。これにより、車両乗員がＨＭＩ７０の表示部を見ていない場合であっても、自動運転に関する情報を車両乗員に把握させることができる。また、ＨＭＩ制御部１７０は、上述した画面表示を音声出力と組み合わせて車両乗員に提示してもよい。
【０１２５】
[処理フロー]
以下、本実施形態に係る経路設定処理について説明する。図１７は、経路設定処理の一例を示すシーケンス図である。図１７に示すシーケンス図には、説明の便宜上、ナビゲーション装置５０、ナビゲーションサーバ３００、および目標車線決定部１１０を示している。
【０１２６】
図１７の例において、ナビゲーション装置５０は、自車両Ｍの車両乗員に対して目的地を設定させるためのメニュー画面等を表示する（ステップＳ１００）。次に、ナビゲーション装置５０は、車両乗員から目的地の設定情報を受け付けると（ステップＳ１０２）、自車両Ｍの現在位置を取得し（ステップＳ１０４）、取得した現在位置と、目的地に関する情報（問い合わせ信号）を、通信装置５５を介してナビゲーションサーバ３００に送信する（ステップＳ１０６）。
【０１２７】
ナビゲーションサーバ３００は、送信された現在位置および目的地の情報から少なくとも１つの走行経路に関する情報を生成し（ステップＳ１０８）、生成した走行経路に関する情報を自車両Ｍに送信する。走行経路に関する情報とは、例えばどの地点を通過するか、目的地までの走行距離、走行時間等の情報等であるが、これに限定されるものではなく、例えば地図情報、交通情報、天候情報等が含まれていてもよい。
【０１２８】
ナビゲーション装置５０は、ナビゲーションサーバ３００から送信された走行経路に関する情報を取得し（ステップＳ１１０）、取得した走行経路に関する情報を目標車線決定部１１０に出力する（ステップＳ１１２）。目標車線決定部１１０は、走行経路に関する情報と、高精度地図情報１８２とに基づいて自動運転を行う区間を生成する（ステップＳ１１４）。また、目標車線決定部１１０は、目的地までの走行経路に対応する走行距離と、生成した自動運転を行う区間の走行距離（各区間の走行距離の合計）とに基づいて、走行経路における自動運転比率を算出する（ステップＳ１１６）。なお、ステップＳ１１６の処理では、走行距離を基準に自動運転比率を算出するが、例えば走行経路における予想走行時間と、自動運転を行う区間の予想走行時間（各区間の予想走行時間の合計）とに基づいて、走行経路における自動運転比率を算出してもよい。
【０１２９】
目標車線決定部１１０は、走行経路の各候補に対して算出された自動運転区間と、自動運転比率に関する情報等をナビゲーション装置５０に出力する（ステップＳ１１８）。ナビゲーション装置５０は、走行経路に関する情報と、自動運転区間に関する情報と、自動運転比率に関する情報とを画面に表示する（ステップＳ１２０）。ステップＳ１２０の処理では、例えば上述した図１４および図１５に示す情報を画面に表示させる。また、ステップＳ１２０の処理では、走行経路に関する情報、自動運転区間に関する情報、および自動運転比率に関する情報のうち、少なくとも１つを音声出力させてもよい。
【０１３０】
次に、ナビゲーション装置５０は、自車両Ｍの車両乗員の選択により、確定した走行経路に関する情報を受け付け（ステップＳ１２２）、受け付けた情報を目標車線決定部１１０に出力する（ステップＳ１２４）。目標車線決定部１１０は、確定した走行経路および自動運転区間に基づいて自動運転等における目標車線の決定等を行うとともに、自動運転制御部１２０、走行制御部１６０、およびＨＭＩ制御部１７０等と連携した車両制御を行う（ステップＳ１２６）。
【０１３１】
なお、上述した図１７に示す経路設定処理では、上述した自動運転比率、自動運転が実施できる距離、自動運転での予想走行時間、自動運転を実施するタイミング、および自動運転を実施する回数のうち、少なくとも１つを画面に表示してもよい。また、上述した図１７に示す経路設定処理は、ナビゲーション装置５０による経路誘導を開始する前に実行されるが、ナビゲーション装置５０は、決定した走行経路に対する自車両Ｍの誘導を行っている場合に、決定した走行経路の状況の変化に基づいて、自車両Ｍの現在位置から目的地までの走行経路の候補と、走行経路の候補に対する自動運転比率自動運転が実施できる距離、自動運転での予想走行時間、自動運転を実施するタイミング、および自動運転を実施する回数のうち、少なくとも１つとを再設定し、再設定された情報を画面に表示させてもよい。ここで、上述した走行経路の状況の変化とは、天候情報（気象情報）により急な雷雨や雪等が降り出したことを検出した場合や、交通情報により今後の経路で事故等が発生していることを検出した場合に、走行経路の状況が変化した判定することができる。なお、上述した天候情報や交通情報は、例えばナビゲーションサーバ３００等から定期的に最新の情報（天候、事故情報）等を取得することができる。
【０１３２】
図１８は、経路誘導時の画面の一例を示す図である。図１８に示す経路誘導画面（インターフェース画面の一例）４６０は、経路誘導表示領域４６２と、経路再探索選択領域４６４とが設けられている。
【０１３３】
経路誘導表示領域４６２には、地図情報と、自車両Ｍの位置を示すオブジェクト４３０と、設定した目的地の位置を示すオブジェクト４３２と、誘導中の走行経路を示すオブジェクト４３４とが表示されている。図１８では、一例として、上述した３つの走行経路（例えば、ルートＡ〜ルートＣ）のうち、ルートＡの走行経路を示すオブジェクト４３４ａが表示されている。
【０１３４】
ナビゲーション装置５０は、走行する自車両Ｍの現在位置の情報を定期的に取得し、取得した現在位置に基づいて、経路誘導表示領域４６２の地図の位置情報に対応させて、自車両Ｍの位置を表示する。ここで、ナビゲーション装置５０は、経路誘導中も、ナビゲーションサーバ３００から天候情報や交通情報を取得し、取得した情報から走行経路の状況が、経路を設定したときから変化したか否かを判定する。走行経路の状況が変化したと判定した場合、ナビゲーション装置５０は、経路誘導表示領域４６２に走行経路の再設定が可能であることを示すメッセージ情報４６６を表示する。メッセージ情報４６６の一例としては、例えば図１８に示すように、「走行経路の状況が変化したため、走行経路の再設定が可能です。」等の情報を表示するが、これに限定されるものではない。
【０１３５】
また、ナビゲーション装置５０は、メッセージ情報４６６の表示と共に経路再探索選択領域４６４に「経路探索」ボタン、「キャンセル」ボタンを表示する。「経路探索」ボタンの選択を受け付けた場合、ナビゲーション装置５０は、例えば上述したナビゲーションサーバ３００における経路探索や目標車線決定部１１０における自動運転区間、自動運転比率等の取得を行い、図１４に示すように走行経路の候補を表示する。これにより、走行経路の状況の変化に応じて自動運転比率が変更された場合に、車両乗員に自車両Ｍの走行経路の再設定を行わせることができる。なお、経路再探索選択領域４６４において、「キャンセル」ボタンの選択を受け付けた場合、ナビゲーション装置５０は、メッセージ情報４６６を非表示するとともに、経路再探索選択領域４６４の各ボタンを非表示にする。これにより、例えば、予め設定された自動運転区間において、走行経路の状況の変化に基づく路面の悪化や視界不良、交通渋滞等により、自動運転が不可能になった場合に、適切な自動運転比率を再計算して表示することで、車両乗員が所望する経路を精度よく選択させることができる。
【０１３６】
上述した実施形態によれば、目的地までの走行経路における自動運転に関する情報を車両乗員に提示することで、自動運転区間を含む複数の経路から、より乗員の意向に近い経路を容易に選択することができる。
【０１３７】
以上、本発明を実施するための形態について実施形態を用いて説明したが、本発明はこうした実施形態に何等限定されるものではなく、本発明の要旨を逸脱しない範囲内において種々の変形及び置換を加えることができる。
【符号の説明】
【０１３８】
２０…ファインダ、３０…レーダ、４０…カメラ（撮像部）、ＤＤ…検知デバイス、５０…ナビゲーション装置（経路誘導部、表示部、操作受付部）、６０…車両センサ、７０…ＨＭＩ、１００…車両制御システム、１１０…目標車線決定部（算出部）、１２０…自動運転制御部、１３０…自動運転モード制御部、１４０…自車位置認識部、１４２…外界認識部、１４４…行動計画生成部、１４６…軌道生成部、１４６Ａ…走行態様決定部、１４６Ｂ…軌道候補生成部、１４６Ｃ…評価・選択部、１５０…切替制御部、１６０…走行制御部、１７０…ＨＭＩ制御部、１８０…記憶部、２００…走行駆動力出力装置、２１０…ステアリング装置、２２０…ブレーキ装置、Ｍ…自車両
【図１】
0006375568.tif 000002
【図２】
0006375568.tif 000003
【図３】
0006375568.tif 000004
【図４】
0006375568.tif 000005
【図５】
0006375568.tif 000006
【図６】
0006375568.tif 000007
【図７】
0006375568.tif 000008
【図８】
0006375568.tif 000009
【図９】
0006375568.tif 000010
【図１０】
0006375568.tif 000011
【図１１】
0006375568.tif 000012
【図１２】
0006375568.tif 000013
【図１３】
0006375568.tif 000014
【図１４】
0006375568.tif 000015
【図１５】
0006375568.tif 000016
【図１６】
0006375568.tif 000017
【図１７】
0006375568.tif 000018
【図１８】
0006375568.tif 000019